(57)【要約】【課題】コストの低廉化が図れ、しかも組立てが簡単にでき、作業性に優れる外壁支持構造を提供する。【解決手段】外壁が取付けられる外壁支持構造１であって、互いに離隔して対向配設される一対の対向板１１、１２を有する天井部材１０と、天井部材１０の両対向板１１、１２の間に一端部２０ａが着脱可能かつ回動可能に支持され、天井部材１０から外方に延出して天井部材１０を、両対向板１１、１２の離隔方向を鉛直方向として浮上状態に支持する多数の足部材２０とを具備する。【選択図】　　　図１
2004044088.tif 000002
【特許請求の範囲】
【請求項１】
外壁が取付けられる外壁支持構造であって、
互いに離隔して対向配設される一対の対向板を有する天井部材と、
該天井部材の両対向板の間に一端部が着脱可能に支持され、該天井部材から外方に延出して天井部材を、両対向板の離隔方向を鉛直方向として浮上状態に支持する多数の足部材とを具備することを特徴とする外壁支持構造。
【請求項２】
前記足部材の一端部が、締結手段により一対の対向板の間に締め付けられることを特徴とする請求項１に記載の外壁支持構造。
【請求項３】
外壁が取付けられる外壁支持構造であって、
互いに離隔して対向配設される一対の対向板を有する天井部材と、
該天井部材の両対向板の間に一端部が着脱可能かつ回動可能に支持され、該天井部材から外方に延出して天井部材を、両対向板の離隔方向を鉛直方向として浮上状態に支持する多数の足部材とを具備することを特徴とする外壁支持構造。
【請求項４】
前記両対向板がその中心回りに一定角度範囲内で相対的に回動可能に形成されていると共に、前記両対向板の一方または他方に各足部材が軸支され、前記両対向板の他方または一方であって前記多数の足部材の間に、両対向板の相対的回動に伴い１または２以上の足部材の回動角度を調整する角度調整凸部が設けられていることを特徴とする請求項３に記載の外壁支持構造。
【請求項５】
前記両対向板がその中心回りに一定角度範囲内で相対的に回動可能に形成されていると共に、前記両対向板の一方または他方に各足部材が軸支され、前記両対向板の他方または一方であって前記多数の足部材の間に、両対向板の相対的回動に伴い全ての足部材の回動角度を調整する角度調整凸部が設けられていることを特徴とする請求項３に記載の外壁支持構造。
【請求項６】
前記両対向板のうち足部材の一端部を支持する側の対向板には、その軸支用の軸を通す貫通孔が形成され、かつ足部材の一端部にも該軸を通す孔が形成されており、該貫通孔および該孔には軸用の雄ねじ部材が通されるようになっているとともに、該貫通孔の一部には該雄ねじ部材と螺合する雌ねじ部材が設けられており、両対向板の間に挿入した足部材の該孔と該貫通孔を通るように該貫通孔側から雄ねじ部材を通すことで、両対向板の間に貫通孔の一端部が軸支されることを特徴とする請求項３乃至５のいずれかに記載の外壁支持構造。
【請求項７】
足部材の回動角度が所望角度と一致した後、足部材の一端部が、締結手段により一対の対向板の間に締め付けられることを特徴とする請求項３乃至６のいずれかに記載の外壁支持構造。
【請求項８】
前記両対向板が、中央部に天窓があいた円環状または多角形をした環状に形成されていることを特徴とする請求項１乃至７のいずれかに記載の外壁支持構造。
【請求項９】
前記外壁が、テント幕であることを特徴とする請求項１乃至８のいずれかに記載の外壁支持構造。
【請求項１０】
前記外壁として、扉、窓および外壁板のうちの１種または２種以上が取付けられることを特徴とする請求項１乃至８のいずれかに記載の外壁支持構造。
【発明の詳細な説明】
【０００１】
【発明の属する技術分野】
本発明は、例えば遊牧民のゲル等のように組立て可能なテントや円形住居用家屋などに利用することが可能な外壁支持構造に関する。
【０００２】
【従来の技術】
上述したゲルとしては、図１５に示すものが知られている。このゲルは、周囲を取囲むハンと呼ばれる折り畳み式の複数の壁１００と、壁１００と連結される扉１０１と、ゲルの中心部にバガンと呼ばれる柱１０２を介して立設されるトーノと呼ばれる天窓１０３と、天窓１０３と壁１００の上端とに両端が連結される多数の屋根棒１０４とを有する外壁支持構造を備え、かかる外壁支持構造の外側には、フェルト等からなるテント幕（図示せず）が取付けられる。
【０００３】
かかるゲルの外壁支持構造の組立は、円を描くように複数の壁１００を紐で繋ぎ合わせ、一箇所に扉１０１を取付け、次に、柱１０２を介して天窓１０３を立設して、天窓１０３と壁１００の上端とに多数の屋根棒１０４の両端を連結することで行われる。
【０００４】
【発明が解決しようとする課題】
したがって、壁１００の連結に手間がかかり、また壁１００と天窓１０３と屋根棒１０４との３つの部材を連結するのに手間がかかるため、組立てに長時間を要し作業性が悪いという問題があった。また、複数の壁１００と多数の屋根棒１０４とが別部材で構成されている故に、コストが高くなるという難点があった。
【０００５】
本発明は、このような従来技術の課題を解消するためになされたもので、コストの低廉化が図れ、しかも組立てが簡単にでき、作業性に優れる外壁支持構造を提供することを目的とする。
【０００６】
【課題を解決するための手段】
請求項１の発明に係る外壁支持構造は、外壁が取付けられる外壁支持構造であって、互いに離隔して対向配設される一対の対向板を有する天井部材と、該天井部材の両対向板の間に一端部が着脱可能に支持され、該天井部材から外方に延出して天井部材を、両対向板の離隔方向を鉛直方向として浮上状態に支持する多数の足部材とを具備することを特徴とする。
【０００７】
この外壁支持構造にあっては、天井部材の両対向板の間に、多数の足部材の一端部が着脱可能に支持される構成となっているので、両対向板の間に多数の足部材の一端部を挿入して支持すれば、外壁が取付けられる前の状態に簡単にすることができ、組立てが簡単でかつ作業性に優れる。また、足部材が、従来例のゲルを構成する壁と屋根棒とを共用できるので、コストの低廉化が図れる。
【０００８】
請求項２の発明に係る外壁支持構造は、前記足部材の一端部が、締結手段により一対の対向板の間に締め付けられることを特徴とする。
【０００９】
この発明にあっては、天井部材の両対向板の間に、多数の足部材の一端部を支持した後、締結手段を締めることにより足部材の一端部を一対の対向板の間に締め付けられることとなる。
【００１０】
請求項３の発明に係る外壁支持構造は、外壁が取付けられる外壁支持構造であって、互いに離隔して対向配設される一対の対向板を有する天井部材と、該天井部材の両対向板の間に一端部が着脱可能かつ回動可能に支持され、該天井部材から外方に延出して天井部材を、両対向板の離隔方向を鉛直方向として浮上状態に支持する多数の足部材とを具備することを特徴とする。
【００１１】
この外壁支持構造にあっては、天井部材の両対向板の間に、多数の足部材の一端部が着脱可能かつ回動可能に支持される構成となっているので、両対向板の間に多数の足部材の一端部を挿入して支持すれば、外壁が取付けられる前の状態に簡単にすることができ、組立てが簡単でかつ作業性に優れる。また、足部材が、従来例のゲルを構成する壁と屋根棒とを共用できるので、コストの低廉化が図れる。
【００１２】
請求項４の発明に係る外壁支持構造は、前記両対向板がその中心回りに一定角度範囲内で相対的に回動可能に形成されていると共に、前記両対向板の一方または他方に各足部材が軸支され、前記両対向板の他方または一方であって前記多数の足部材の間に、両対向板の相対的回動に伴い１または２以上の足部材の回動角度を調整する角度調整凸部が設けられていることを特徴とする。
【００１３】
この発明にあっては、両対向板が相対的に回動するとき、両対向板の他方または一方に設けられた角度調整凸部が１または２以上の足部材に当接して、該当する足部材の角度が軸回りの回動により調整される。このため、角度調整凸部により角度調整された足部材と、その隣りの角度調整が行われない足部材との間における他端部同士の離隔間隔（以下、このように隣り合う足部材の他端部同士の離隔間隔を足間隔（Ａ）という）が変更される。また、角度調整凸部により共に角度調整される足部材同士の間においては、他端部同士の足間隔（Ａ）を所定寸法に変更することが可能となる。
【００１４】
請求項５の発明に係る外壁支持構造は、前記両対向板がその中心回りに一定角度範囲内で相対的に回動可能に形成されていると共に、前記両対向板の一方または他方に各足部材が軸支され、前記両対向板の他方または一方であって前記多数の足部材の間に、両対向板の相対的回動に伴い全ての足部材の回動角度を調整する角度調整凸部が設けられていることを特徴とする。
【００１５】
この発明にあっては、角度調整凸部により全ての足部材の角度を一斉に調整することができるとともに、前記足間隔（Ａ）を、全て所定寸法に一斉に変更させるようにすることが可能となる。このとき、角度調整後の全ての足部材における一端部が、例えば対向板の回転中心またはその近傍を向くように、角度調整凸部の位置を設定しておくと、その回転中心を挟む両側の足部材における他端部同士の離隔距離（以下、これを直径（Ｂ）という）における角度調整後のものを最大またはそれに近い値にすることができ、逆に足部材の一端部が向く方向を前記回転中心からより離れるように設定しておくと、角度調整後の直径（Ｂ）を小さくすることができる。
【００１６】
請求項６の発明に係る外壁支持構造は、前記両対向板のうち足部材の一端部を支持する側の対向板には、その軸支用の軸を通す貫通孔が形成され、かつ足部材の一端部にも該軸を通す孔が形成されており、該貫通孔および該孔には軸用の雄ねじ部材が通されるようになっているとともに、該貫通孔の一部には該雄ねじ部材と螺合する雌ねじ部材が設けられており、両対向板の間に挿入した足部材の該孔と該貫通孔を通るように該貫通孔側から雄ねじ部材を通すことで、両対向板の間に貫通孔の一端部が軸支されることを特徴とする。
【００１７】
この発明にあっては、着脱可能な足部材の一端部を、両対向板の間に挿入し、かつ足部材の一端部に設けた孔を対向板の貫通孔に一致させ、これら両孔に軸支用の軸を通し、雌ねじ部材と螺合させることで、足部材の一端側を両対向板の間に、回動可能に取付けることができる。上記とは逆の操作を行うことで、足部材を両対向板の間から取外すことができる。
【００１８】
請求項７の発明に係る外壁支持構造は、足部材の回動角度が所望角度と一致した後、足部材の一端部が、締結手段により一対の対向板の間に締め付けられることを特徴とする。
【００１９】
この発明にあっては、天井部材の両対向板の間に回動可能に軸支されていて、回動角度を調整し、或いは調整することなく所望角度になっている足部材が、締結手段を締めることにより一対の対向板の間に締め付けられることとなる。
【００２０】
請求項８の発明に係る外壁支持構造は、前記両対向板が、中央部に天窓があいた円環状または多角形をした環状に形成されていることを特徴とする。
【００２１】
この発明にあっては、同一構成の足部材を使用することにより、足部材の他端部を円形または多角形状に配置させることができる。
【００２２】
請求項９の発明に係る外壁支持構造は、前記外壁が、テント幕であることを特徴とする。
【００２３】
この発明にあっては、上述した請求項１〜８の外壁支持構造における足部材の外側にテント幕が被せられると、テントの支柱として用いられることになる。このとき、従来例のゲルの場合には、テント幕をピンと張った状態となるように紐等を引っ張りつつ取付けるため、そのことにより作業性が悪いという欠点があった。これに対し、本発明の場合には、緩くテント幕を取付けても、後で足部材を回動させることで、緩く取付けられたテント幕をピンと張った状態にすることが可能であり、作業性を向上させ得る。特に、請求項５のように、角度調整凸部により全ての足部材の角度を調整した後の直径（Ｂ）を最大またはそれに近い値にする場合には、テント幕を緩く取付けた後に、角度調整を行うようにすれば、緩く取付けたテント幕を一瞬にしてピンと張った状態にすることができ、テント張りの作業性を大幅に向上させ得る。
【００２４】
請求項１０の発明に係る外壁支持構造は、前記外壁として、扉、窓および外壁板のうちの１種または２種以上が取付けられることを特徴とする。
【００２５】
この発明にあっては、上述した請求項１〜８の外壁支持構造における足部材の外側に、扉、窓および外壁板のうちの１種または２種以上を取付ける家屋用の骨組構造体として用いられる。足部材の角度を調整した後の足間隔（Ａ）を所定値、例えば市販の扉、窓および外壁板の規定寸法に一致させるようにした場合には、市販の扉等を、そのまま切断等することなく使用することが可能となり、全体的なコストの低廉化が図れると共に大幅な作業性の改善が図れる。
【００２６】
【発明の実施の形態】
以下、本発明の実施形態を具体的に説明する。
【００２７】
（第１実施形態）
図１は第１実施形態に係る外壁支持構造を示す外観斜視図であり、図２はその外壁支持構造の上部を示す正面断面図である。
【００２８】
この外壁支持構造１は、天井部材１０と、天井部材１０に一端部２０ａが取付けられ、天井部材１０を地面等の載置面から浮いた浮上状態に支持する多数の足部材２０とを具備し、全体的がドーム状となるように形成される。
【００２９】
天井部材１０は、天井部に配されるもので、一対の対向板１１、１２を有し、両対向板１１、１２のそれぞれは、例えば中央部に円形の天窓があいた円環状に形成された木製のものであり、下側の対向板１１には足部材２０の一端部２０ａが取付けられ、その一端部２０ａを上から押さえるようにして上側の対向板１２が、対向板１１とは互いに離隔し、かつその離隔方向を鉛直方向として対向配設される。
【００３０】
これら両対向板１１、１２には、それぞれ複数位置、図示例では４つの位置に丸孔状をしたボルト通し孔１１ａ、１２ａが形成され、両対向板１１、１２のボルト通し孔１１ａ、１２ａにボルト１３を通し、ボルト１３の先端にナット１４を螺合させることで両対向板１１、１２が連結されている。ボルト１３およびナット１４は締結手段を構成する。ボルト１３の頭とナット１４との間の長さは、足部材２０の取付前において、両対向板１１、１２のそれぞれの厚みと、足部材２０の一端部２０ａの厚みとを全て加えた寸法よりも長く、例えば上側の対向板１２を押し上げると、下側の対向板１１との間に、一端部２０ａの厚みよりも大きい隙間が形成され、その隙間を利用して足部材２０の一端部２０ａを容易に挿入できる寸法に設定されている。また、上側の対向板１２の内周側には、テント幕取付用の紐を取付けるための紐取付孔１２ｂが設けられている。
【００３１】
各足部材２０のそれぞれは、同一構成で作製された木製のもので、一端部２０ａと中間部２０ｂと他端部２０ｃとが一体連結され、一端部２０ａと中間部２０ｂとの間で折れ曲がり、また中間部２０ｂと他端部２０ｃとの間で折れ曲がることにより、一端部２０ａが略水平、中間部２０ｂが斜め、他端部２０ｃが垂直となっている。各足部材２０は、両対向板１１、１２の間に一端部２０ａが着脱可能に軸支されるようになっており、そのような軸支状態において、天井部材１０から外方に延出して途中から前記離隔方向（鉛直方向）に向かって曲がった状態となる。なお、中間部２０ｂおよび他端部２０ｃには、テント幕取付用の紐を取付けるための紐取付孔２０ｄが設けられている。
【００３２】
かかる各足部材２０は、その一端部２０ａが下側の対向板１１に設けられる軸に取付けられる。具体的には、対向板１１には、軸支用の軸を通す貫通孔１５が形成され、かつ足部材２０の一端部２０ａにも軸を通す孔２１が形成されており、これら貫通孔１５および孔２１には軸用のボルト（雄ねじ部材）２が通されるようになっている。貫通孔１５の上端部には、ボルト２と螺合して支持するナット（雌ねじ部材）３が設けられており、ボルト２およびナット３は締結手段を構成する。そして、両対向板１１、１２の間に挿入した足部材２０の一端部２０ａに設けた孔２１と該貫通孔１５を通るように該貫通孔１５側からボルト２を通すことで、両対向板１１、１２の間に足部材２０の一端部２０ａが軸支される。よって、各足部材２０は、図３に示すように、軸（ボルト）２の回りに回動できる。なお、当然のことながら、足部材２０の一端部２０ａよりも内側に、前記ボルト通し孔１１ａ、１２ａおよびボルト１３を設け、足部材２０の回動に支障が無いようにされる。
【００３３】
次に、かかる外壁支持構造の組立手順につき説明する。
【００３４】
まず、ボルト１３により連結された両対向板１１、１２からなる天井部材１０を、図示しない支柱により支えて所定高さにセットする。なお、天井部材１０をセットする高さ位置は、足部材２０を天井部材１０に取付けた状態で、他端部２０ｃ、つまり足部材２０の下端が地面等の載置面よりも高くなる位置とする。
【００３５】
次に、上側の対向板１２を上方に押し上げて隙間を形成し、その隙間に全ての足部材２０の一端部２０ａを挿入する。このとき、隙間形成用のスペーサを複数箇所にセットすることが好ましい。そして、貫通孔１５と孔２１とを一致させてこれら貫通孔１５および孔２１を通るように軸用のボルト２を通す。なお、ボルト２を通すタイミングは、各足部材２０の一端部２０ａを隙間に挿入する都度、或いはそのように挿入された足部材２０の数がある程度まとまった状態で行うようにしてもよい。
【００３６】
次に、下端が載置面から浮いた足部材２０のそれぞれを、図３に示すように、例えば手操作により所定角度θとなるように回動させる。なお、図３中のＣは対向板の周縁の接線方向で、同Ｄは対向板から足部材が延出する方向である。このとき、第１実施形態の外壁支持構造１を、例えば概略円柱状のテントの支柱として用いる場合には、各足部材２０の他端部２０ｃが所定の直径を有する円の上に位置するように回動させる。そして、各足部材２０の角度θが所望角度に一致すると、最終的に上記ナット１４を締め込むことで、その締め付け力と上側の対向板１２の重さとにより、足部材２０の一端部２０ａは実質的に両対向板１１、１２の間に締め付けられて天井部材１０に確実に支持される。
【００３７】
続いて、それまで天井部材１０を支えていた図示しない前記支柱を取り外し、各足部材２０の他端部２０ｃを載置面上に載せる。
【００３８】
しかる後、図４に示すように、各足部材２０の一端部２０ａ乃至他端部２０ｃを覆うごとくテント幕５を取付けることで、テントが完成する。また、テントを解体する場合は、上記とは逆の手順により行えばよい。なお、テント幕５としては、外壁支持構造１の全体を覆うものに限らず、足部材の一端部のみ、或いは足部材の一端部および中間部を覆うものも含む。
【００３９】
したがって、この第１実施形態による場合には、天井部材１０の両対向板１１、１２の間に、多数の足部材２０の一端部２０ａが着脱可能かつ回動可能に支持される構成となっているので、両対向板１１、１２の間に多数の足部材２０の一端部２０ａを挿入してボルト２にて軸支すれば、テント幕５等が取付けられる前の状態を簡単に得ることができ、組立てが簡単でかつ作業性に優れる。また、足部材２０が、従来例のゲルを構成する壁（１００）と屋根棒（１０４）とを共用しているので、コストの低廉化が図れる。
【００４０】
なお、上述した第１実施形態ではテント幕を取り付ける前に、各足部材２０の角度θを所望角度に調整し、かつナット１４を締め込んで各足部材２０を固定状態としているが、テント幕を取り付けた後に各足部材２０の角度θを所望角度にすべく回動させるようにするのが好ましい。すなわち、テント幕を被せる前は、前記直径（Ｂ）を短くしておき、その状態でテント幕を緩んだ状態で取付け、その後、各足部材２０の角度θを調整して直径（Ｂ）を長くすることで、緩く取付けたテント幕をピンと張った状態にすることができる。よって、テントを張るときは、テント幕を緩く取付けることができるので取付性に優れ、かつ緩くテント幕を取付けてもその後ピンと張ることができるので、そのことによっても取付性が改善される。なお、この場合は、テント幕をピンと張った後、ナット１４を締め込んで各足部材２０を固定状態とすればよい。
【００４１】
また、上述した第１実施形態では、外壁支持構造１をテントの支柱に用いる場合を例に挙げて説明しているが、本発明の外壁支持構造はこれに限らない。例えば、家屋の骨組構造体として用いることも可能である。その場合には、以下のようにして外壁支持構造が組立てられる。
【００４２】
即ち、外壁支持構造の組立て前に、予め外壁支持構造を載せる基礎（図示せず）を円形に形成しておく。しかる後、その基礎の中心の上方に天井部材１０が位置するように、その天井部材１０を図示しない支柱にて支持する。続いて、天井部材１０に足部材２０の一端部２０ａをボルト２にて軸支し、下端が基礎から浮いた足部材２０のそれぞれを、例えば手操作により他端部２０ｃが基礎の上方に位置するように回動させる。そして、各足部材２０の角度θが所望角度に一致すると、ナット１４を締め込み、足部材２０の一端部２０ａを両対向板１１、１２の間に確実に保持させ得るように締め付ける。
【００４３】
その後、支柱を取り外して基礎の上に各足部材２０の他端部２０ｃを載せることで、家屋の骨組構造体が完成する。更に、図５に示すように、足部材２０の外側に外壁を取付ける。即ち、足部材２０における他端部２０ｃの外側に、扉６、窓７および外壁板８のうちの１種または２種以上を適当箇所に取付け、かつ足部材２０における一端部２０ａと中間部２０ｂとに外壁板８（窓等を含んでもよい）を取付ける。なお、図５では、他端部２０ｃでは外壁（扉６、窓７、外壁板８等）を６つ、中間部２０ｂと一端部２０ａでは外壁（外壁板８）を各２つ示しているが、実際には、足部材２０のほぼ全面（但し、一部を省略してもよい。）を覆うように外壁が取付けられる。これにより、家屋が完成する。
【００４４】
（第２実施形態）
図６は第２実施形態に係る外壁支持構造を示す外観斜視図であり、図７は第２実施形態に係る外壁支持構造１Ａの要部を示す正面断面図である。なお、図１および図２と同一部分には、同一番号を付している。
【００４５】
この外壁支持構造１Ａにおいては、下側の対向板１１に設けられたボルト通し孔１１ａは第１実施形態と同様に丸孔に形成されており、上側の対向板１２に設けたボルト通し孔１６は、例えば図８に示すように、対向板の中心Ｏを曲率中心とする円弧孔に形成されている。なお、ボルト通し孔１１ａおよび円弧孔１６の数は、それぞれ４つ設けられている。
【００４６】
これら各４つの円弧孔１６とボルト通し孔１１ａには、それぞれ係合部としてのボルト１３が上側から通され、下側の対向板１１より下側に突出したボルト１３の下端部にはナット１４が取付けられている。よって、円弧孔１６の両端にてボルト１３が規制されることで、両対向板１１、１２が、ボルト１３が円弧孔１６を移動できる２つの制限角度の間である一定角度範囲内で回動可能となっている。また、ボルト１３の頭とナット１４との間の長さは、第１実施形態と同様に設定されている。
【００４７】
また、上側の対向板１２の下面側には、全ての足部材２０の片側、例えば図８に示すように反時計回り方向側に、角度調整凸部２２が設けられている。この角度調整凸部２２は、軸用のボルト２が取付けられた下側の天井板１１とは反対側である上側の天井板１２に取付けられている。
【００４８】
よって、図８に示すように、下側の天井板１１を反時計方向に回動させると、ボルト２の位置が変位し、足部材２０が位置変位のない角度調整凸部２２に拘束されて角度θが大きくなる。一方、図９に示すように、上側の天井板１２を時計方向に回動させると、角度調整凸部２２により足部材２０が押されてボルト２の回りを回動し、角度θが大きくなる。なお、外壁支持構造１Ａの組立ての際、下側の対向板１１は、図示しない支柱により支えられるため、実際には、上側の対向板１２がバール等により回動される。
【００４９】
したがって、第２実施形態による場合には、全ての足部材２０の角度θが角度調整凸部２２により２つの制限角度内の小さい方から大きい方に一斉に調整され、対向板の回動中心Ｏを挟む相互にほぼ反対側に位置する２つの足部材２０における他端部同士の直径（Ｂ）を一斉に長くすることができる。
【００５０】
この第２実施形態の外壁支持構造は、ゲル等のテントを支持する支柱に用いる場合に便利である。即ち、テントの支柱に使用する場合には、前述したようにテント幕を被せる前は、前記直径（Ｂ）を短くしておき、その状態でテント幕を緩んだ状態で取付け、その後、前記直径（Ｂ）を長くすることで、緩く取付けたテント幕をピンと張った状態にすることができるので、第１実施形態と同様に取付性を改善できるという利点があることに加え、全ての足部材２０の角度θを個別ではなく、角度調整凸部２２により一斉に調整して、一瞬にテント幕をピンと張ることができるので、第１実施形態による場合よりも取付性を大幅に改善することができるという優れた効果が得られる。
【００５１】
また、第２実施形態の外壁支持構造は、家屋の骨組構造体として用いる場合にも便利である。即ち、足部材２０の角度θを一斉に大きくしたときの直径（Ｂ）が、基礎の直径とほぼ一致するように構成しておくと、上記直径（Ｂ）を一斉に広げると全ての足部材の他端部が基礎の上に載せ得る状態になり、足部材の角度を１本ずつ調整する必要性が無くなり、瞬時に調整された状態にすることが可能となる。また、一斉に足部材２０の角度θを大きくしたとき、隣り合う足部材２０の他端部２０ｃ同士の足間隔（Ａ）も一定になるようにしておくことで、足間隔（Ａ）も一斉に調整することが可能となる。当然のことながら、第２実施形態においても、第１実施形態と同様の効果が得られることは、勿論である。但し、第２実施形態の外壁支持構造を、テントを支持する支柱或いは家屋の骨組構造体に使用する場合に拘わらず、最終的にナット１４を締め込むことで、両対向板１１、１２の間に足部材２０の一端部２０ａを強固に締め付けるようにすることが、足部材２０を確実に保持させ得る点で好ましい。
【００５２】
なお、上述した第２実施形態において、足部材の角度θを一斉に大きくしたときの足間隔（Ａ）、直径（Ｂ）および足部材の本数の関係は、図１０に基づき以下のように設定することができる。
【００５３】
図１０は、足部材の角度θが９０゜となる場合を想定したときの図である。そして、隣り合う足部材間の中心角をψとしている。このとき、Ａ＝Ｂ・ｓｉｎ（ψ／２）と表される。
【００５４】
表１は、足部材の本数を１８本〜２４本にする場合において、足間隔（Ａ）として６００ｍｍ、７００ｍｍ、８００ｍｍ、９００ｍｍおよび１０００ｍｍの５つがそれぞれ得られるときの直径（Ｂ）を纏めた一例を示す表である。
【００５５】
【表１】
2004044088.tif 000003
【００５６】
この表１に基づき、例えば足間隔（Ａ）を８００ｍｍ、足部材の本数を２０本とする場合には、隣り合う足部材の中心角は１８゜とし、上記直径（Ｂ）は５１１３ｍｍとなるように設定すればよいことがわかる。
【００５７】
このとき、足間隔（Ａ）を、市販の扉、窓および外壁板において規定された寸法に応じたものに対して設定することで、第２実施形態の足部材２０の他端部２０ｃの外側に、市販の扉６、窓７および外壁板８をそのままの状態で、つまり寸法調整のために切断等をすることなく、使用することが可能となり、より作業性の向上を図り得る。
【００５８】
また、上述した第２実施形態では、全ての足部材２０に対して角度調整凸部２２を配設しているが、本発明はこれに限らず、足部材の１または２以上（全てを除く）に対して角度調整凸部を設けるようにしてもよい。この場合には、市販の扉、窓および外壁板の規定寸法となる足間隔（Ａ）となる部分には、市販のものを使用し、そうではない寸法の部分には、任意に決めた寸法の扉、窓および外壁板を使用することができ、市販のものと、そうでないものとの併用が可能となる。更に、足間隔（Ａ）は、足部材を、隣りの足部材に接触させるまで回動させることにより、当初の足間隔（Ａ）の約２倍まで広げることができ、これにより扉、窓および外壁板として用い得る幅が広がり、デザイン性、外観性等を広範囲に設定することができるようになる。このことは、第１実施形態の各足部材についても同様である。
【００５９】
また、上述した第２実施形態では、支柱により下側の対向板を支持するようにしているので、上側の対向板を回動させるようにすることが好ましいが、本発明はこれに限らず、支柱により上側の対向板を支持するようにした場合には、下側の対向板を回動させるようにすることが好ましい。
【００６０】
また、上述した第２実施形態では、足部材を回動可能に支持する軸としてのボルトを下側の対向板に取付けるようにしているが、本発明はこれに限らず、上側の対向板に取付けるようにしてもよい。但し、この場合には、角度調整凸部は、反対側の下側の対向板に取付けることを要する。
【００６１】
また、上述した第２実施形態では、図７および図８に示したように、角度調整凸部を軸用のボルトよりも外側位置に設けているが、本発明はこれに限らず、図１１に示すように軸用のボルト２を対向板の外周に近い位置に設けた場合には、角度調整凸部２２はボルト２よりも内側に設けるようにしてもよい。
【００６２】
また、上述した第２実施形態における円弧孔１６、ボルト通し孔１１ａおよびボルト１３は１組として用いられ、その組数は４組に設定しているが、本発明はこれに限らず、２組以上としてもよい。更には、両対向板１１、１２の一方を他方に対して回動させる際の回動中心の位置が、何らかの手法により一定に設定される場合には、１組以上としてもよい。
【００６３】
また、上述した第１実施形態においては、足部材２０の一端部２０ａを軸支するためのボルト２が螺合されるナット３を、下側の対向板１１に設けるようにしているが、本発明はこれに限らない。図１２（ａ）に示すように、上記ナット３を、上側の対向板１２に埋設するようにしてもよく、或いは、図１２（ｂ）に示すように、上側の対向板１２の上側外部にナット３を配するようにしてもよい。この場合、ボルトが通される部分は、当然のことながら、ボルト挿通用の孔を形成することが必要である。なお、上述したように上側の対向板１２にナット３を配する場合には、両対向板１１、１２の間に足部材２０の一端部２０ａを配し、その足部材２０の角度θを調整した後、最終的にボルト２とナット３、および、ボルト１３とナット１４間の締め込みを行って、両対向板１１、１２の間で足部材２０の一端部２０ａを強固に締め付けるようにするのが、足部材２０を確実に保持させ得る点で好ましい。
【００６４】
また、上述した第１実施形態においては、足部材２０の一端部２０ａを回動可能に軸支するようにしているが、本発明はこれに限らない。即ち、足部材２０の一端部２０ａを所定角度θに支持する場合（角度調整を行わない場合）には、図１３に示すように、足部材２０の一端部２０ａの長手方向に、ボルト２、ナット３、貫通孔１５および孔２１を更に１組以上、合計２組以上（図では合計２組）設けた構成とし、複数箇所でボルト２とナット３を締結するようにしてもよい。或いは、図示を省略するが、両対向板１１、１２の間に、足部材２０の一端部２０ａの両側または片面に所定方向への挿入を可能とし、足部材２０の一端部２０ａの回動を規制する規制片を設ける等としてもよい。このようにした場合には、両対向板１１、１２の間であって規制片と接触するように一端部２０ａを挿入した後に、複数のボルト２を取り付けて直ちに締めればよい。なお、この場合においても、ナット３の配置個所は、図１２（ａ）（ｂ）に示したように、上側の対向板１２側に設けるようにすることもでき、また、一端部２０ａの保持性確保のため、最終的に複数組のボルト２とナット３を締めるとともに、ボルト１３とナット１４を締めるようにすればよい。
【００６５】
また、上述した第２実施形態では、上側の対向板に円弧孔を設け、下側の対向板にボルトを位置固定した状態に取付けるようにしているが、本発明はこれに限らず、上記とは逆に、下側の対向板に円弧孔を設け、上側の対向板にボルトを位置固定した状態に取付けるようにしてもよい。また、本発明は、ボルトに限らず、円弧孔に係合する他の凸状部材を用いてもよく、一方、円弧孔は、貫通するものではなく、凹状に窪んだものであってもよい。
【００６６】
また、上述した第２実施形態では、足部材の角度を調整する前は小さく、調整後に角度を大きくするようにしているが、本発明はこれに限らず、調整前は角度を大きく、調整後に角度を小さくするようにしてもよい。
【００６７】
また、上述した第２実施形態では角度調整凸部を、足部材を挟む片側にのみ設けるようにしているが、本発明はこれに限らず、角度調整凸部を足部材の両側に設け、一方の角度調整凸部を足部材の角度を大きくするときに使用し、他方の角度調整凸部を足部材の角度を小さくするときに使用するようにしてもよい。
【００６８】
また、上述した第１、第２実施形態では天井部材の対向板に円環状のものを用いているが、本発明はこれに限らず、その対向板として、六角形、或いは八角形などの多角形状をした環状のものを用いることもできる。この場合、足部材の一端部を支持する軸の位置を、多角形状に配置することで、足部材の他端部の配置形状も多角形状にすることが可能である。
【００６９】
また、上述した第１、第２実施形態では、一端部と中間部の間および中間部と他端部との間の２箇所で折れ曲がった足部材を用いているが、本発明はこれに限らない。例えば、中間部を省略し、一端部と他端部との間の１箇所で折れ曲がった足部材を使用することもでき、或いは、全体的に湾曲した足部材などを用いることもできる。
【００７０】
また、上述した第１、第２実施形態では、天井部材の上面を平らにしたものを使用しているが、本発明はこれに限らない。例えば、円錐や三角錐、四角錐などとなるテント幕や家屋の屋根の頂部を形成できるように、天井部材の上面に頂部形成部材を設けるようにしてもよい。頂部形成部材としては、四角錐にする場合を例に挙げて説明すると、例えば図１４（ａ）に示すように棒部材３０ａを用いて四角錐の輪郭を形作るようにした頂部形成部材３０、或いは、図１４（ｂ）に示すように三角形状の板材３１ａを中心回りに複数配して四角錐の輪郭を形作るようにした頂部形成部材３１などが挙げられる。
【００７１】
【発明の効果】
以上詳述したように本発明による場合には、天井部材の両対向板の間に、多数の足部材の一端部が着脱可能に支持される構成、または、天井部材の両対向板の間に、多数の足部材の一端部が着脱可能かつ回動可能に支持される構成となっているので、両対向板の間に多数の足部材の一端部を挿入して支持すれば、外壁が取付けられる前の状態に簡単にすることができ、組立てが簡単でかつ作業性に優れる。また、足部材が、従来例のゲルを構成する壁と屋根棒とを共用できるので、コストの低廉化が図れる。
【図面の簡単な説明】
【図１】本発明の第１実施形態に係る外壁支持構造を示す外観斜視図である。
【図２】図１の外壁支持構造の上部を示す正面断面図である。
【図３】図１の外壁支持構造を構成する足部材の回動を説明する図（平面図）である。
【図４】本発明の第１実施形態に係る外壁支持構造に、テント幕を取付ける場合を説明するための図である。
【図５】本発明の第１実施形態に係る外壁支持構造を家屋の骨組構造体として用いる場合を説明するための図である。
【図６】本発明の第２実施形態に係る外壁支持構造を示す外観斜視図である。
【図７】本発明の第２実施形態に係る外壁支持構造の上部を示す正面断面図である。
【図８】本発明の第２実施形態に係る外壁支持構造を構成する足部材の回動を説明する図（平面図）である。
【図９】本発明の第２実施形態に係る外壁支持構造を構成する足部材の回動を説明する図（平面図）である。
【図１０】本発明の第２実施形態に係る外壁支持構造において、足部材の角度を一斉に大きくしたときの足間隔（Ａ）、直径（Ｂ）および足部材の本数の関係を説明するための図である。
【図１１】本発明の第２実施形態に係る外壁支持構造を構成する足部材に対する角度調整凸部の他の配置例を示す図である。
【図１２】（ａ）および（ｂ）は共に本発明の外壁支持構造を構成する足部材の一端部を軸支するためのボルトが螺合されるナットの他の配置例を示す説明図である。
【図１３】本発明の他の実施形態に係る外壁支持構造の上部を示す正面断面図である。
【図１４】（ａ）および（ｂ）は共に天井部材の上面に設けられる頂部形成部材の例を示す図である。
【図１５】従来の外壁支持構造を用いたゲルを示す外観図である。
【符号の説明】
１、１Ａ　外壁支持構造
２　ボルト（雄ねじ部材）
３　ナット（雌ねじ部材）
５　テント幕
６　扉
７　窓
８　外壁板
１０　天井部材
１１、１２　対向板
１３　ボルト（雄ねじ部材）
１４　ナット（雌ねじ部材）
１５　貫通孔
１６　ボルト通し孔（円弧孔）
２０　足部材
２０ａ　一端部
２１　孔
２２　角度調整凸部
【図１】
2004044088.tif 000004
【図２】
2004044088.tif 000005
【図３】
2004044088.tif 000006
【図４】
2004044088.tif 000007
【図５】
2004044088.tif 000008
【図６】
2004044088.tif 000009
【図７】
2004044088.tif 000010
【図８】
2004044088.tif 000011
【図９】
2004044088.tif 000012
【図１０】
2004044088.tif 000013
【図１１】
2004044088.tif 000014
【図１２】
2004044088.tif 000015
【図１３】
2004044088.tif 000016
【図１４】
2004044088.tif 000017
【図１５】
2004044088.tif 000018